(57)【要約】【課題】スキャナプリンタにおいて、原稿から読取った画像の編集作業を任意の場所で行うことを可能とし、画像編集作業の利便性を向上する。【解決手段】スキャナプリンタ１は、原稿が載置される原稿台２と、原稿を押さえるトップカバー３と、原稿の画像を読取る読取装置５と、用紙に画像を記録する記録装置６と、読取装置５により読取った画像を表示する液晶パネル９と、読取装置５により読取った画像を編集するためのタッチペン１０及びタッチパネル１１とを備える。読取装置５及び記録装置６は、筐体１２内に配置されており、液晶パネル９、タッチペン１０、及びタッチパネル１１は、トップカバー３に設けられている。トップカバー３は、筐体１２に着脱自在であり、読取装置５により読取った画像は、トップカバー３を筐体１２から取外した状態でも液晶パネル９、タッチペン１０、及びタッチパネル１１により編集できる。【選択図】図１
2007150685.tif 000002
【特許請求の範囲】
【請求項１】
原稿が載置される原稿台と、前記原稿台に載置される原稿の画像を読取る読取装置と、用紙に画像を記録する記録装置と、商用電源から電力供給を受け装置各部の動作電源を生成する主電源装置と、前記原稿台を支持すると共に前記読取装置、記録装置、及び主電源装置を収納する筐体と、前記原稿台に載置される原稿を押さえるトップカバーと、前記読取装置により読取った画像を編集する編集手段と、前記読取装置により読取った画像の画像データ、及び前記編集手段により編集した画像データを保存する記憶手段と、前記読取装置により読取った画像及び前記編集手段により編集した画像を表示する表示手段とを備え、前記編集手段により編集した画像を前記記録装置により用紙に記録することができるようにしたスキャナプリンタにおいて、
外部接続されるメモリカード及び／又はデジタルカメラから画像データを取得するデータ取得手段をさらに備え、
前記編集手段、記憶手段、表示手段、及びデータ取得手段は、前記トップカバーに設けられており、
前記筐体とトップカバーとの間には、前記主電源装置により生成された動作電源を前記トップカバーに設けられた各種手段に供給すると共に、前記読取装置により読取った画像データを前記記憶手段に転送するためのコネクタを備え、
前記トップカバーは、
前記筐体に対して脱着自在に構成されていると共に、
前記筐体に装着されているときに前記コネクタを介して前記主電源装置により充電され、前記筐体から取外されたときに該トップカバーに設けられた各種手段に電力を供給する補助電源を備え、
前記トップカバーが前記筐体から取外された状態で前記補助電源の電力により画像の編集を可能としたことを特徴とするスキャナプリンタ。
【請求項２】
原稿が載置される原稿台と、前記原稿台に載置される原稿の画像を読取る読取装置と、用紙に画像を記録する記録装置と、商用電源から電力供給を受け装置各部の動作電源を生成する主電源装置と、前記原稿台を支持すると共に前記読取装置、記録装置、及び主電源装置を収納する筐体と、前記原稿台に載置される原稿を押さえるトップカバーと、前記読取装置により読取った画像を編集する編集手段と、前記読取装置により読取った画像の画像データ、及び前記編集手段により編集した画像データを保存する記憶手段と、前記読取装置により読取った画像及び前記編集手段により編集した画像を表示する表示手段とを備え、前記編集手段により編集した画像を前記記録装置により用紙に記録することができるようにしたスキャナプリンタにおいて、
前記編集手段、記憶手段、及び表示手段は、前記トップカバーに設けられており、
前記トップカバーは、前記筐体に対して着脱自在に構成されており、該トップカバーが前記筐体から取外された状態においても画像の編集を可能に構成されていることを特徴とするスキャナプリンタ。
【請求項３】
前記筐体とトップカバーとの間には、前記主電源装置により生成された動作電源を前記トップカバーに設けられた各種手段に供給すると共に、前記読取装置により読取った画像データを前記記憶手段に転送するためのコネクタを備え、
前記トップカバーは、前記筐体に装着されているときに前記コネクタを介して前記主電源装置により充電され、前記筐体から取外されたときに該トップカバーに設けられた各種手段に電力を供給する補助電源を備えていることを特徴とする請求項２に記載のスキャナプリンタ。
【発明の詳細な説明】
【技術分野】
【０００１】
本発明は、原稿に描かれた画像を読取って、その画像を用紙に記録するスキャナプリンタに関するものである。
【背景技術】
【０００２】
従来から、スキャナプリンタは、原稿台に戴置されトップカバーにより押さえられた原稿を読取装置により読取って、その画像を記録装置により用紙に記録するようになっている。読取装置及び記録装置は、筐体内に配置されており、原稿台は、筐体に支持されている。また、トップカバーは、原稿台を覆うことができるように、筐体に回動自在に支持されている。
【０００３】
このようなプリンタは、表示手段や操作手段をトップカバーに設け、原稿から読取った画像をこれら表示手段や操作手段を利用してユーザが編集できるようにし、編集後の画像を用紙に記録できるようにしたものが知られている（例えば特許文献１乃至特許文献４参照）。
【特許文献１】特開平５−２０７２４２号公報
【特許文献２】実開平５−７６１６４号公報
【特許文献３】特開平６−１４１４２号公報
【特許文献４】特開平６−１２１１５２号公報
【発明の開示】
【発明が解決しようとする課題】
【０００４】
ところが、上述した従来のプリンタにおいては、トップカバーは、筐体から取外して使用できるようにはなっていない。このため、原稿から読取った画像の編集作業は、プリンタの設置場所で、立ったままの姿勢や無理な姿勢で行わなければならず、編集作業の利便性が悪かった。
【０００５】
本発明は、上記課題を解決するためになされたものであり、原稿から読取った画像の編集作業を任意の場所で行うことができ、画像編集作業の利便性を向上できるスキャナプリンタを提供することを目的とする。
【課題を解決するための手段】
【０００６】
上記目的を達成するために請求項１の発明は、原稿が載置される原稿台と、原稿台に載置される原稿の画像を読取る読取装置と、用紙に画像を記録する記録装置と、商用電源から電力供給を受け装置各部の動作電源を生成する主電源装置と、原稿台を支持すると共に読取装置、記録装置、及び主電源装置を収納する筐体と、原稿台に載置される原稿を押さえるトップカバーと、読取装置により読取った画像を編集する編集手段と、読取装置により読取った画像の画像データ、及び編集手段により編集した画像データを保存する記憶手段と、読取装置により読取った画像及び編集手段により編集した画像を表示する表示手段とを備え、編集手段により編集した画像を記録装置により用紙に記録することができるようにしたスキャナプリンタにおいて、外部接続されるメモリカード及び／又はデジタルカメラから画像データを取得するデータ取得手段をさらに備え、編集手段、記憶手段、表示手段、及びデータ取得手段は、トップカバーに設けられており、筐体とトップカバーとの間には、主電源装置により生成された動作電源をトップカバーに設けられた各種手段に供給すると共に、読取装置により読取った画像データを記憶手段に転送するためのコネクタを備え、トップカバーは、筐体に対して脱着自在に構成されていると共に、筐体に装着されているときにコネクタを介して主電源装置により充電され、筐体から取外されたときに該トップカバーに設けられた各種手段に電力を供給する補助電源を備え、トップカバーが筐体から取外された状態で補助電源の電力により画像の編集を可能としたものである。
【０００７】
請求項２の発明は、原稿が載置される原稿台と、原稿台に載置される原稿の画像を読取る読取装置と、用紙に画像を記録する記録装置と、商用電源から電力供給を受け装置各部の動作電源を生成する主電源装置と、原稿台を支持すると共に読取装置、記録装置、及び主電源装置を収納する筐体と、原稿台に載置される原稿を押さえるトップカバーと、読取装置により読取った画像を編集する編集手段と、読取装置により読取った画像の画像データ、及び編集手段により編集した画像データを保存する記憶手段と、読取装置により読取った画像及び編集手段により編集した画像を表示する表示手段とを備え、編集手段により編集した画像を記録装置により用紙に記録することができるようにしたスキャナプリンタにおいて、編集手段、記憶手段、及び表示手段は、トップカバーに設けられており、トップカバーは、筐体に対して着脱自在に構成されており、該トップカバーが筐体から取外された状態においても画像の編集を可能に構成されているものである。
【０００８】
請求項３の発明は、請求項２に記載のスキャナプリンタにおいて、筐体とトップカバーとの間には、主電源装置により生成された動作電源をトップカバーに設けられた各種手段に供給すると共に、読取装置により読取った画像データを記憶手段に転送するためのコネクタを備え、トップカバーは、筐体に装着されているときにコネクタを介して主電源装置により充電され、筐体から取外されたときに該トップカバーに設けられた各種手段に電力を供給する補助電源を備えているものである。
【発明の効果】
【０００９】
請求項１の発明によれば、筐体に対して脱着自在なトップカバーに編集手段、記憶手段、及び表示手段が設けられているため、原稿から読取った画像、メモリカードから取得した画像、及びデジタルカメラから取得した画像を、それらトップカバーに設けられている編集手段、記憶手段、及び表示手段によって、トップカバーを筐体から取外した状態で編集することができる。従って、トップカバーを筐体から取外して持ち運ぶことにより、原稿から読取った画像、メモリカードから取得した画像、デジタルカメラから取得した画像の編集作業を任意の場所で行うことができ、画像編集作業の利便性が向上する。しかも、筐体内の主電源装置により充電される補助電源がトップカバーに設けられており、トップカバーを筐体から取外した状態では、補助電源の電力により編集手段、記憶手段、及び表示手段が動作するため、トップカバーを筐体から取外して画像の編集作業を行うときにトップカバーを商用電源に接続する必要がなく、利便性が向上する。
【００１０】
請求項２の発明によれば、筐体に対して脱着自在なトップカバーに編集手段、記憶手段、及び表示手段が設けられているため、原稿から読取った画像を、それらトップカバーに設けられた編集手段、記憶手段、及び表示手段によって、トップカバーを筐体から取外した状態で編集することができる。従って、トップカバーを筐体から取外して持ち運ぶことにより、読取装置により読取った画像の編集作業を任意の場所で行うことができ、画像編集作業の利便性が向上する。
【００１１】
請求項３の発明によれば、筐体内の主電源装置により充電される補助電源がトップカバーに設けられており、トップカバーを筐体から取外した状態では、補助電源の電力により編集手段、記憶手段、及び表示手段が動作するため、トップカバーを筐体から取外して画像の編集作業を行うときにトップカバーを商用電源に接続する必要がなく、利便性が向上する。
【発明を実施するための最良の形態】
【００１２】
以下、本発明を具体化した一実施形態に係るスキャナプリンタについて図１及び図２を参照して説明する。図１（ａ）（ｂ）（ｃ）は、スキャナプリンタの全体構成を示す。スキャナプリンタ１は、原稿用紙（画像が記録されている用紙をいう）に記録されている原稿画像を読取って、その原稿画像を記録用紙（画像を記録するための用紙をいう）に記録する装置である。また、スキャナプリンタ１は、メモリカードやデジタルカメラから入力される画像データを基に、その画像データによる画像を記録用紙に記録できるようになっている。さらに、スキャナプリンタ１は、これら原稿用紙から読取った画像及びメモリカードやデジタルカメラから入力された画像データによる画像を編集したうえで記録用紙に記録できるようになっている。
【００１３】
スキャナプリンタ１は、原稿用紙が載置される原稿台２と、原稿台２に戴置される原稿用紙を押さえるためのトップカバー３と、記録用紙が装填されるペーパレスト４と、原稿用紙の画像を読取る読取装置５と、記録用紙に画像を記録する記録装置６とを備える。また、スキャナプリンタ１は、メモリカードから画像データを取得するためのデータ取得手段であるメモリカード接続部７と、デジタルカメラから画像データを取得するためのデータ取得手段であるピクトブリッジ接続部８と、画像を表示する表示手段である液晶パネル９と、ユーザにより操作されるタッチペン１０及びタッチパネル１１とを備える。
【００１４】
原稿台２は、透明板から成っており、筐体１２の上面に支持されている。原稿用紙は、１枚のものが原稿面（原稿画像が記録されている面）を下向きにして原稿台２に載置される。トップカバー３は、原稿台２に載置された原稿用紙を押さえることができるように、筐体１２の上面に回動自在に支持されている。ペーパレスト４は、筐体１２の背部に設けられている。記録用紙は、１枚又は複数枚のものが重ねてペーパレスト４に装填される。
【００１５】
読取装置５は、画像の濃淡を光学的に検出して画像を読取る光学式の画像センサ２１と、画像センサ２１を移動させるための駆動力を発生するセンサ移動用モータ２２と、センサ移動用モータ２２の駆動力により画像センサを移動させるセンサ移動機構（不図示）等により構成されており、筐体１２内に収納されている。読取装置５は、画像センサ２１が原稿台２に沿って移動して、原稿用紙の原稿画像を読取る。
【００１６】
記録装置６は、インクを吐出して画像を記録するインクジェット式の記録ヘッド３１と、記録ヘッド３１を移動させるための駆動力を発生するヘッド移動用モータ３２と、ヘッド移動用モータ３２の駆動力により記録ヘッド３１を移動させるヘッド移動機構（不図示）と、記録用紙を搬送するための駆動力を発生する用紙搬送用モータ３３と、用紙搬送用モータ３３の駆動力により記録用紙を搬送する用紙搬送機構（不図示）等により構成されており、筐体１２内に配置されている。記録装置６は、用紙搬送機構がペーパレスト４に装填された記録用紙を排紙口１３へと搬送し、記録ヘッド３１が用紙搬送機構により搬送される記録用紙上を移動して、記録用紙に画像を記録する。
【００１７】
メモリカード接続部７、ピクトブリッジ接続部８は、トップカバー３の前面に設けられている。液晶パネル９は、読取装置５により読取った画像、メモリカード接続部７、ピクトブリッジ接続部８から取得した画像データによる画像、これらの画像の編集後の画像、及び画像の読取指示、画像の記録指示、画像の編集等を行うための各種操作ボタンを表示するものであり、トップカバー３の上面に設けられている。
【００１８】
タッチペン１０及びタッチパネル１１は、画像の読取指示、画像の記録指示、画像の編集等を行うためにユーザに操作されるものである。タッチペン１０は、液晶パネル９に表示される画像をポインティングするものであり、トップカバー３に備え付けられている。タッチパネル１１は、タッチペン１０によるポインティング位置を検出するものであり、マトリックス状に配列された多数の透明な感圧スイッチから構成されていて、液晶パネル９上に重ねて配置されている。液晶パネル９に表示される画像は、タッチパネル１１越しに透けて見えるようになっており、液晶パネル９に表示される画像をタッチパネル１１越しにタッチペン１０によりポインティングすることにより、そのポインティング位置がタッチパネル１１により検出される。
【００１９】
上記トップカバー３は、筐体１２に対して着脱自在に構成されている。トップカバー３には、筐体１２の支持口１４に挿抜自在な支持柱４１が設けられている。支持柱４１は、トップカバー３に回動自在に軸支されている。支持柱４１を筐体１２の支持口１４に挿入することにより、トップカバー３が筐体１２に装着されて、トップカバー３が筐体１２に対して回動自在とされる。また、支持柱４１を筐体１２の支持口１４から抜くことにより、トップカバー３が筐体１２から取外される。
【００２０】
支持口１４及び支持柱４１（すなわち筐体１２とトップカバー３との間）には、筐体１２側とトップカバー３側とを電気的に接続するためのコネクタ１４ａ、４１ａが設けられている。コネクタ１４ａは、筐体１２内に設けられている読取装置５、記録装置６等に電気的に接続されており、コネクタ４１ａは、トップカバー３に設けられているメモリカード接続部７、ピクトブリッジ接続部８、液晶パネル９、タッチペン１０、及びタッチパネル１１等に電気的に接続されている。支持口１４に支持柱４１を挿入することにより、コネクタ１４ａとコネクタ４１ａが電気的に接続され、支持口１４から支持柱４１を抜き取ることにより、コネクタ１４ａとコネクタ４１ａとの電気的接続が断たれる。
【００２１】
図２は、スキャナプリンタ１の電気的ブロック構成を示す。スキャナプリンタ１は、上述の構成に加え、スキャナプリンタ１を制御するための筐体側制御部５１及びカバー側制御部５２と、画像データを処理して画像を編集する編集処理部５３と、画像データを保存する記憶手段であるメモリ５４と、スキャナプリンタ１各部の動作電源を生成する主電源装置５５と、トップカバー３を筐体１２から取外したときにトップカバー３各部の電力を供給する補助電源５６とを備える。タッチペン１０、タッチパネル１１、及び編集処理部５３により、画像を編集する編集手段が構成されている。筐体側制御部５１、及び主電源装置５５は、筐体１２内に収納されており、カバー側制御部５２、編集処理部５３、メモリ５４、及び補助電源５６は、トップカバー３内に収納されている。
【００２２】
筐体側制御部５１とカバー側制御部５２は、コネクタ１４ａ、４１ａを介して相互に通信して、スキャナプリンタ１の動作を制御する。編集処理部５３は、カバー側制御部５２による制御のもと、タッチペン１０及びタッチパネル１１からの入力信号を受けて、メモリ５４に保存されている画像データを処理して画像を編集する。メモリ５４は、カバー側制御部５２による制御のもと、読取装置５により読取った画像の画像データ、メモリカード接続部７から取得した画像データ、ピクトブリッジ接続部８から取得した画像データを一時的に保存し、また、編集処理部５３により編集した画像の画像データ等を一時的に保存する。
【００２３】
主電源装置５５は、電源コンセント５５ａを商用電源６０に接続することにより商用電源６０からＡＣ電力が供給され、そのＡＣ電力を基にスキャナプリンタ１各部の動作電源を生成する。主電源装置５５により生成された動作電源は、筐体側制御部５１に供給されると共に、筐体側制御部５１を介して読取装置５及び記録装置６に供給される。また、主電源装置５５により生成された電力は、筐体側制御部５１及びコネクタ１４ａ、４１ａを介してカバー側制御部５２に供給されると共に、カバー側制御部５２を介してメモリカード接続部７、ピクトブリッジ接続部８、液晶パネル９、タッチペン１０、タッチパネル１１、編集処理部５３、メモリ５４、及び補助電源５６に供給される。
【００２４】
補助電源５６は、２次電池を内蔵しており、トップカバー３が筐体１２に装着されているときに、主電源装置５５により生成される動作電源により充電される。補助電源５６に充電された電力は、トップカバー３が筐体１２から取外されたときに、カバー側制御部５２に供給されると共に、カバー側制御部５２を介してメモリカード接続部７、ピクトブリッジ接続部８、液晶パネル９、タッチペン１０、タッチパネル１１、編集処理部５３、及びメモリ５４に供給される。
【００２５】
上記液晶パネル９は、カバー側制御部５２による制御のもと、トップカバー３が筐体１２に装着されているときには、画像の読取指示、画像の記録指示、画像の編集等を行うための各種操作ボタンを表示し、トップカバー３が筐体１２から取外されているときには、画像の編集等を行うための各種操作ボタンを表示している。トップカバー３が筐体１２に装着されているか筐体１２から取外されているかの判断は、例えば、筐体側制御部５２により、コネクタ４１ａの端子電圧を検出することにより行われる。
【００２６】
原稿用紙からの画像の読取は、トップカバー３を筐体１２に装着した状態で行われ、筐体側制御部５１は、タッチペン１０の操作により画像の読取指示がなされると、読取装置５により原稿用紙から画像を読取り、その読取った画像の画像データをコネクタ１４ａ、４１ａを介してカバー側制御部５２に転送する。そして、カバー側制御部５２は、画像データの転送を受けると、その画像データをメモリ５４に保存すると共に、その画像データによる画像（すなわち原稿用紙から読取った画像）を液晶パネル９に表示する。このとき、カバー側制御部５２は、画像の記録指示、画像の編集等を行うための各種操作ボタンも液晶パネル９に表示する。
【００２７】
メモリカード及びデジタルカメラからの画像データの取得は、トップカバー３を筐体１２に装着した状態でも、トップカバー３を筐体１２から取外した状態でも行うことができ、タッチペン１０の操作により画像データの取得指示がなされると、カバー側制御部５２は、メモリカード接続部７及びピクトブリッジ接続部８を介してメモリカード及びデジタルカメラから画像データを取得し、その取得した画像データをメモリ５４に保存すると共に、その画像データによる画像を液晶パネル９に表示する。このとき、カバー側制御部５２は、画像の記録指示、画像の編集等を行うための各種操作ボタンも液晶パネル９に表示する。このとき、画像を編集するための操作ボタンや画像を記録指示するための操作ボタン等も液晶パネル９に表示する。
【００２８】
画像の編集は、トップカバー３を筐体１２に装着した状態でも、トップカバー３を筐体１２から取外した状態でも行うことができ、カバー側制御部５２は、タッチペン１０により画像の編集操作がなされると、メモリ５４に保存されている画像データを読出して、その画像データを編集処理部５３により処理して画像を編集する。そして、カバー側制御部５２は、その編集した画像データをメモリ５４に保存すると共に、その画像データによる画像を液晶パネル９に表示する。画像の編集内容として、例えば、画像の明るさや色合いの調整、タッチペン１０を用いた領域指定による不要画像の削除、タッチペン１０を用いた手書きによる文字や絵の画像上への重ね書き、スキャナプリンタ１に予め準備されている標準フレームや標準絵文字の画像上への重ね合わせ等がある。
【００２９】
記録用紙への画像の記録は、トップカバー３を筐体１２に装着した状態で行われ、カバー側制御部５２は、タッチペン１０の操作により画像の記録指示がなされると、メモリ５４に保存されている画像データを画像記録指令と共にコネクタ１４ａ、４１ａを介して筐体側制御部５１に転送する。そして、筐体側制御部５１は、画像データ及び画像記録命令の転送を受けると、その画像データによる画像（すなわち原稿用紙から読取った画像、メモリカード及びデジタルカメラから取得した画像データによる画像、又は、それらを編集した画像）を記録装置６により記録用紙に記録する。
【００３０】
このような構成のスキャナプリンタ１によれば、筐体１２に対して脱着自在なトップカバー３に液晶パネル９、タッチペン１０、タッチパネル１１等が設けられているため、原稿から読取った画像を、それらトップカバー３に設けられている液晶パネル９、タッチペン１０、タッチパネル１１等によって、トップカバー３を筐体１２から取外した状態で編集することができる。また、メモリカードから取得した画像、及びデジタルカメラから取得した画像についても、同様に、トップカバー３を筐体１２から取外した状態で編集することができる。従って、トップカバー３を筐体１２から取外して持ち運ぶことにより、原稿から読取った画像、メモリカードから取得した画像、デジタルカメラから取得した画像の編集作業を任意の場所で行うことができ、画像編集作業の利便性が向上する。
【００３１】
しかも、筐体１２内の主電源装置５５により充電される補助電源５６がトップカバー３に設けられており、トップカバー３を筐体１２から取外した状態では、補助電源５６の電力により液晶パネル９、タッチペン１０、タッチパネル１１等が動作するため、トップカバー３を筐体１２から取外して画像の編集作業を行うときにトップカバー３を商用電源に接続する必要がなく、利便性が向上する。
【００３２】
なお、本発明は、上記実施形態の構成に限られず、種々の変形が可能である。例えば、上記実施形態において、筐体側制御部５１とカバー側制御部５２は、無線により相互に通信して、スキャナプリンタ１の動作を制御するようにしてもよい。この場合、画像データは、無線により筐体側制御部５１とカバー側制御部５２との間で相互に転送される。トップカバー３は、補助電源５６を備えずに、筐体１２から取外したときに、商用電源に接続して、商用電源から得られる電力をカバー側制御部５２、メモリカード接続部７、ピクトブリッジ接続部８、液晶パネル９、タッチペン１０、タッチパネル１１、編集処理部５３、及びメモリ５４に供給する構成としてもよい。
【図面の簡単な説明】
【００３３】
【図１】（ａ）は本発明の一実施形態に係るスキャナプリンタの全体構成を示すトップカバーを閉じた状態の斜視図、（ｂ）は同トップカバーを開いた状態の斜視図、（ｃ）は同トップカバーを筐体から取外した状態の斜視図。
【図２】同スキャナプリンタの電気的ブロック構成図。
【符号の説明】
【００３４】
１    スキャナプリンタ
２    原稿台
３    トップカバー
４    ペーパレスト
５    読取装置
６    記録装置
７    メモリカード接続部
８    ピクトブリッジ接続部
９    液晶パネル
１０    タッチペン
１１    タッチパネル
１２    筐体
１３    排紙口
１４    支持口
１４ａ    コネクタ
２１    画像センサ
２２    センサ移動用モータ
３１    記録ヘッド
３２    ヘッド移動用モータ
３３    用紙搬送用モータ
４１    支持柱
４１ａ    コネクタ
５１    筐体側制御部
５２    カバー側制御部
５３    編集処理部
５４    メモリ
５５    主電源装置
５５ａ    電源コンセント
５６    補助電源
６０    商用電源
【図１】
2007150685.tif 000003
【図２】
2007150685.tif 000004